(57)【特許請求の範囲】
【請求項１】
冷却庫本体内には収納室とその側方に冷却器室が設けられ、冷却器室内に冷却器、庫内ファン等の部品が並んで収容された冷却庫において、
前記冷却器室の前面には前面カバーが、前記収納室との間を仕切る側面には、前記各部品と対応して通気口が開口された側面カバーがそれぞれ張設され、かつこの側面カバーが前記各部品ごとに分割されており、
前記収納室における左右両側面の手前側と奥側の位置には、トレイ等を出し入れ可能に載置するレールを対向状に支持する棚柱が立てられ、各レールは、左側または右側における手前と奥の棚柱の間に差し渡されて、同レールの手前側と奥側の端部に設けられた引掛部を対応する棚柱に設けられた取付孔に引っ掛けることで着脱可能に装着されるとともに、
前記手前側の左右の棚柱における対向面の手前側の角部には、手前に向けて次第に拡がるような斜めのガイド面が形成され、かつ、前記レールの手前の端部が前記棚柱のガイド面よりも奥側に位置していることを特徴とする冷却庫。
【請求項２】
前記手前側の左右の棚柱のうち前記側面カバー側の棚柱側では、前記前面カバーの端縁がこの棚柱の手前側を覆うように張り出されたのち、奥側に向けて斜めに折曲されることで前記ガイド面が形成されているとともに、他方の棚柱では、前記側面カバー側の棚柱との対向面における手前の角部が斜めに削成されることで前記ガイド面が形成されていることを特徴とする請求項１記載の冷却庫。
【発明の詳細な説明】
【０００１】
【発明の属する技術分野】
本発明は急速凍結庫等の冷却庫に関し、特に冷却器室の構造の改良に関するものである。
【０００２】
【従来の技術】
従来、急速凍結庫の一例として、図８に示すものが知られている。このものは、断熱箱体からなる凍結庫本体１内に収納室２が設けられて、その図示右側に冷却器室３が形成され、冷却器室３内には、冷凍装置４と冷媒配管により循環接続された冷却器５が中央高さ位置に、その上下両側に庫内ファン６が収容された構造になり、冷凍装置４並びに庫内ファン６が駆動されると、庫内空気が冷却器５に向けて吸引され、冷却器５を通過する間に熱交換により生成された冷気が、上下の庫内ファン６により収納室２内に向けて吹き出されるといった循環流が生じ、トレイ７に載せられて収納室２内に収納された食材Ｓ等が急速凍結されるようになっている。
【０００３】
【発明が解決しようとする課題】
ここで従来のものでは、冷却器室３を区画形成する場合に、収納室２との間を仕切る側面板８Ａと、前面を覆う前面板８Ｂとが一体となったＬ形のカバー８を装着する手段が採られていた。
そのため例えば、冷却器室３内の冷却器５や庫内ファン６の点検や、部品交換を行う場合には、まずトレイ７やこれを受けるレールを外し、必要に応じてレールを支持する棚柱を外したのち、多数箇所でねじを緩めてカバー８を外す必要があり、甚だ面倒であった。また、カバー８を庫内に出し入れする場合も、例えば本体１の前面開口を上下に仕切るように配された仕切枠９を避けつつ、大きなカバー８を出し入れする必要があるため、作業がし辛いという問題があった。
本発明は上記のような事情に基づいて完成されたものであって、その目的は、冷却器室の開閉を簡単に行えるようにするところにある。
【０００４】
【課題を解決するための手段】
請求項１の発明は、冷却庫本体内には収納室とその側方に冷却器室が設けられ、冷却器室内に冷却器、庫内ファン等の部品が並んで収容された冷却庫において、前記冷却器室の前面には前面カバーが、前記収納室との間を仕切る側面には、前記各部品と対応して通気口が開口された側面カバーがそれぞれ張設され、かつこの側面カバーが前記各部品ごとに分割されており、前記収納室における左右両側面の手前側と奥側の位置には、トレイ等を出し入れ可能に載置するレールを対向状に支持する棚柱が立てられ、各レールは、左側または右側における手前と奥の棚柱の間に差し渡されて、同レールの手前側と奥側の端部に設けられた引掛部を対応する棚柱に設けられた取付孔に引っ掛けることで着脱可能に装着されるとともに、前記手前側の左右の棚柱における対向面の手前側の角部には、手前に向けて次第に拡がるような斜めのガイド面が形成され、かつ、前記レールの手前の端部が前記棚柱のガイド面よりも奥側に位置しているところに特徴を有する。
【０００５】
請求項２の発明は、請求項１に記載のものにおいて、前記手前側の左右の棚柱のうち前記側面カバー側の棚柱側では、前記前面カバーの端縁がこの棚柱の手前側を覆うように張り出されたのち、奥側に向けて斜めに折曲されることで前記ガイド面が形成されているとともに、他方の棚柱では、前記側面カバー側の棚柱との対向面における手前の角部が斜めに削成されることで前記ガイド面が形成されているところに特徴を有する。
【０００６】
【発明の作用及び効果】
＜請求項１の発明＞
冷却器室内の部品の点検を行う場合に、前面カバーを外すだけで迅速に行うことができる。一方、部品の修理や交換を行う場合も、分割されたうちの該当する側面カバーだけを外せば良く、すなわち外すねじの数も少なくて済み、また庫外へ取り出すのも簡単にできて、ひいては能率良く作業を行うことができる。
【０００７】
また、トレイを出し入れする部分の構造は、収納室における左右両側面の手前側と奥側の位置にそれぞれ棚柱を立てて、互いに対向する一対ずつのレールを多段に配し、両レールにわたってトレイの両側縁を載せつつ前方から出し入れするようになっている。このとき、対向する棚柱間の間隔はトレイの幅よりも若干広い程度であるため、特にトレイを入れる場合に手前側の棚柱にぶつけ、載せた食材を落とすおそれがある。
その点この発明では、トレイを入れる前の位置が多少ずれていても、手前側の左右の棚柱のガイド面で案内されつつ、両レールにわたってスムーズに載せることができる。
＜請求項２の発明＞
手前側の左右の棚柱のうち側面カバー側の棚柱側では、前面カバーの端縁がこの棚柱の手前側を覆うように張り出されたのち、奥側に向けて斜めに折曲されることでガイド面が形成され、また他方の棚柱では、側面カバー側の棚柱との対向面における手前の角部が斜めに削成されることでガイド面が形成される。
【０００８】
【発明の実施の形態】
以下、本発明の一実施形態を図１ないし図７に基づいて説明する。この実施形態では、急速凍結庫に適用した場合を例示している。
図１及び図２において、符号１０は、前面開口の縦長の断熱箱体からなる凍結庫本体であって、底面の四隅に設けられた脚１１で支持されているとともに、前面開口が中央高さ位置で仕切枠１２により仕切られて上下の出入口１３が形成されており、各出入口１３に、断熱扉１４が左右方向の揺動開閉可能に支持されている。
【０００９】
本体１０内は、図１に示すように、正面から見た左側の２／３強の領域が収納室１６に、右側の残りの領域が冷却器室１７となっている。冷却器室１７内のほぼ中央高さ位置には冷却器１９が配置されるとともに、その上下両側には、庫内ファン２０が取り付けられている。
より詳細には、図３，図４にも示すように、冷却器１９は、上記の中央高さ位置において、庫内の右側壁１０Ａから離間した状態で取り付けられており、本体１０の上面に設けられた機械室２２内の冷凍装置２３と冷媒配管により循環接続され、周知の冷凍サイクルが構成されている。
上下の庫内ファン２０は、それぞれのモータハウジング２４が右側壁１０Ａに固定されて、収納室１６側を向いて取り付けられている。庫内ファン２０は、上下両面の開口されたファンケース２５に収められ、ファンケース２５の前面にはベルマウス２６が形成されている。
【００１０】
冷却器室１７における収納室１６と境をなす位置には、天井面に沿ってアングル材からなるトップフレーム３０が配されているとともに、開口面側では、仕切枠１２を挟んだ上下両側に、同じくアングル材からなる上下のフロントフレーム３１が配されている。また、冷却器室１７の底面には、底板３２がフロントフレーム３１の下端に連なるようにして、かつ底壁１０Ｃから浮いた状態で張設されている。
なお、詳しくは後記するが、収納室１６内の四隅には棚柱５０が立てられている。以下において、４本の棚柱について個々に説明する場合は、符号５０に添え字「Ａ」〜「Ｄ」を付して区別することとする。右手前の棚柱５０Ａは、例えばチャンネル状をなし、その手前の裾の取付脚５１がフロントフレーム３１の側面に固定されており、一方、右奥の棚柱５０Ｂは、例えばアングル状をなして奥壁１０Ｄに固定されている。
【００１１】
冷却器室１７の前面には、仕切枠１２を挟んだ上下両側にそれぞれメンテナンスカバー３４が張設されている。メンテナンスカバー３４には、右側縁から手前に直角曲げした取付板３５が形成されており、この取付板３５を本体１０の開口部の右側壁１０Ａに、また左側縁をフロントフレーム３１の前面にそれぞれねじ止めすることによって、着脱可能に取り付けられるようになっている。
【００１２】
冷却器室１７における収納室１６との境となる側面には、右側の前後の棚柱５０Ａ，５０Ｂの間において、冷却器カバー４０と上下２枚の庫内ファンカバー４４とが張設されている。
冷却器カバー４０は、冷却器１９の前方（図１の左側）に配されるものであって、多数の吸込口４１がほぼ全面に整列して形成されている。冷却器カバー４０は、その奥縁が奥側の棚柱５０Ｂにヒンジ４２を介して取り付けられて、収納室１６の奥壁１０Ｄ側に向けて揺動可能に支持されているとともに、手前側の縁部が棚柱５０Ａの奥の取付脚５１に当てられて、ねじ４６により止められるようになっている。
【００１３】
庫内ファンカバー４４は、それぞれ上下の庫内ファン２０の前方に配されるものであって、その裏面の中央部には、ベルマウス２６内に嵌合可能な円筒形をなす吹出口４５が形成されている。庫内ファンカバー４４は、同じくその奥縁が奥側の棚柱５０Ｂにヒンジ４２を介して取り付けられ、収納室１６の奥壁１０Ｄ側に向けて揺動可能に支持されているとともに、手前側の縁部が棚柱５０Ａの奥の取付脚５１に当てられて、ねじ４６（図４参照）により止められるようになっている。また、吹出口４５とこれを嵌めたベルマウス２６との間もねじ止めされるようになっている。
【００１４】
収納室１６内には、既述したように、その四隅に棚柱５０が立てられている。各棚柱５０には、図２及び図６に示すように、左右で対向する面に、複数の取付孔５３が一定のピッチを開けて多段に形成されている。一方、左右で対をなす断面Ｌ字形のレール５５が複数組備えられている。対をなすレール５５は、引掛部５６を取付孔５３に引っ掛けつつ、右側と左側においてそれぞれ手前と奥の棚柱５０Ａ，５０Ｂまたは５０Ｃ，５０Ｄの間に差し渡され、同一高さで対向状に支持されるようになっており、このレール５５の対が複数段に配される。対をなす両レール５５には、方形の浅皿状をなすトレイ５８が、その両側縁を載せつつ出し入れされるようなっている。
【００１５】
ここで、図７に示すように、上記したメンテナンスカバー３４の左側縁部が、右側の手前の棚柱５０Ａの前方を覆うように張り出され、その先端が棚柱５０Ａの取付面の手前の縁部と重なるように奥側に向けて斜めに折曲されることにより、右ガイド面６０Ａが形成されている。
一方、左側の手前の棚柱５０Ｃでは、その取付面の手前の縁部が、左側壁１０Ｂに達するまで斜め外方に延出され、上記した右ガイド面６０Ａと対称をなす左ガイド面６０Ｂが形成されている。
【００１６】
続いて、本実施形態の作用を説明する。稼働時には、食材を収納したトレイ５８を左右のレール５５にわたって載せて、収納室１６内に収納する。係る状態で、冷凍装置２３並びに両庫内ファン２０が駆動されると、図１の矢線に示すように、収納室１６内の庫内空気が、冷却器カバー４０の吸込口４１を通って冷却器１９に向けて吸引され、冷却器１９を通過する間に熱交換により冷気が生成される。この冷気は、上下のファンケース２５内に導かれた後、庫内ファンカバー４４の吹出口４５から収納室１６内に向けて吹き出されるといった循環流が生じ、もって収納室１６内が冷却されて食材が凍結される。
【００１７】
ここでトレイ５８は、レール５５をできるだけ小さくした上で安定して支持できるように、左右の棚柱５０の間隔よりも若干狭い幅に形成される。一方、トレイ５８がレール５５上に支持された場合に、特にトレイ５８の左側縁の外側にも良好に冷気が巡るように、左側の棚柱５０Ｃ，５０Ｄが左側壁１０Ｂから張り出して設けられている。そのため、特にトレイ５８を入れる場合に左右の手前側の棚柱５０Ａ，５０Ｃにぶつけ、載せた食材を落とすおそれがある。
その点この実施形態では、右の棚柱５０Ａ側については、メンテナンスカバー３４により棚柱５０Ａの手前側を覆って斜めの右ガイド面６０Ａが形成され、また、左の棚柱５０Ｃ側については、棚柱５０Ｃ自身の手前側の面に斜めの左カイド面６０Ｂが形成されているから、図７に示すように、トレイ５８を入れる際の位置が左右方向に多少ずれていても、ガイド面６０Ａ，６０Ｂに当たってそこで案内されつつ、左右のレール５５にわたってスムーズに載せることができる。
【００１８】
一方、冷却器室１７内に配された冷却器１９、庫内ファン２０等の点検を行う場合は、ねじを緩めて、図５に示すように上下のメンテナンスカバー３４を外せば、冷却器室１７の前面が全開となって容易に点検作業を行うことができる。各部品に接続された電線類も手前側にまとめておけば、導通確認や電圧確認等も容易に行える。
点検が終わったらメンテナンスカバー３４を再度取り付けるのであるが、２枚に分割されてそれぞれが小型になっているから、作業者一人でも比較的簡単にねじ止め等の取付作業を行うことができる。
【００１９】
上記の点検作業において故障等が発見され、修理や部品交換を行う場合は、トレイ５８を庫外に抜き出したのち、カバー４０，４４を個別に開ける。例えば、上下いずれかの庫内ファン２０に関して故障があった場合は、まず対応する庫内ファンカバー４４の位置に配されたレール５５、必要に応じて対向した側のレール５５を外す。それとともに、庫内ファンカバー４４の揺動端をねじ４６を緩めて棚柱５０Ａから外すとともに、吹出口４５もベルマウス２６から外したのち、図５に示すように、ヒンジ４２を中心として、庫内ファンカバー４４を収納室１６の奥面に向けて揺動させる。これにより、庫内ファン２０の設置位置が収納室１６側に開放されるから、収納室１６側から修理、部品交換等を行うことができる。
部品交換等が終わったら、庫内ファンカバー４４を元位置に揺動して戻したのち、その揺動端と吹出口４５とをねじ止めして固定し、またレール５５を取り付ければよい。
【００２０】
冷却器１９やそれに付設された除霜用のヒータ等の付属部品に故障があった場合は、同様に冷却器カバー４０の位置のレール５５を外したのち、冷却器カバー４０の揺動端をねじ４６を緩めて棚柱５０Ａから外し、収納室１６の奥面に向けて揺動させる。これにより、冷却器１９の設置位置が収納室１６側に開放されるから、収納室１６側から修理、部品交換等が行える。部品交換等が終わったら、冷却器カバー４０を元位置に揺動して戻したのち、その揺動端をねじ止めして固定し、またレール５５を取り付ければよい。
【００２１】
以上説明したように本実施形態によれば、冷却器室１７内の冷却器１９、庫内ファン２０等の部品の点検を行う場合に、前面のメンテナンスカバー３４を外すだけで迅速に行うことができる。また、メンテナンスカバー３４が２枚の小さいものに分割されているから、庫内に出し入れする場合に扱いやすい。
一方、冷却器室１７内の部品の修理や交換を行う場合も、分割されたうちの該当するカバー４０，４４だけを開けば良い。特に、カバー４０，４４の奥縁をヒンジ４２で揺動可能に支持したから、外すねじが少なくて済み、また再度閉じる場合も位置合わせ等が不要にできる。すなわち、カバー４０，４４の開閉作業が簡単となって、ひいては部品の修理や交換等の作業を能率良く行うことができる。
【００２２】
さらに、収納室１６の開口縁の左右両側に配された棚柱５０Ａ，５０Ｃについて、メンテナンスカバー３４と棚柱５０Ｃ自身を利用して、トレイ５８を両棚柱５０Ａ，５０Ｃの間の位置に案内するガイド面６０Ａ，６０Ｂを形成したから、トレイ５８を棚柱５０にぶつけることなく両レール５５にわたってスムーズに載せることができ、もって食材等を誤って落とすことが防止される。
【００２３】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）冷却器室の前面に配されたメンテナンスカバーは、３枚以上に分割されていてもよいし、逆に一枚板に形成されていてもよく、このようなものも本発明の技術的範囲に含まれる。
（２）また、冷却器室の左手前の角部を構成するフロントフレームは、１本で形成してもよい。
（３）上記実施形態に例示した冷却器と庫内ファンの配列はあくまでも一例であって、他の配列のものにも同様に適用できる。
（４）本発明は上記実施形態に例示した急速凍結庫に限らず、本体内に収納室と、その側方に冷却器や庫内ファンが収容された冷却器室が設けられた冷却庫全般に広く適用することができる。
【図面の簡単な説明】
【図１】  本発明の一実施形態に係る正面から見た断面図
【図２】  その側面から見た断面図
【図３】  冷却器室の分解斜視図
【図４】  図１のＸ−Ｘ線断面図
【図５】  カバーの開放動作を示す同断面図
【図６】  手前側の棚柱付近を示す分解斜視図
【図７】  トレイの案内動作を説明する部分断面図
【図８】  従来例の断面図
【符号の説明】
１０…冷却庫本体  １６…収納室  １７…冷却器室  １９…冷却器  ２０…庫内ファン  ３４…メンテナンスカバー（前面カバー）  ４０…冷却器カバー（側面カバー）  ４１…吸込口  ４２…ヒンジ  ４４…庫内ファンカバー（側面カバー）  ４５…吹出口  ４６…ねじ  ５０Ａ，５０Ｃ…棚柱  ５５…レール  ５８…トレイ  ６０Ａ…右ガイド面  ６０Ｂ…左ガイド面
【図１】
0003942454.tif 000002
【図２】
0003942454.tif 000003
【図３】
0003942454.tif 000004
【図４】
0003942454.tif 000005
【図５】
0003942454.tif 000006
【図６】
0003942454.tif 000007
【図７】
0003942454.tif 000008
【図８】
0003942454.tif 000009